(57)【要約】【課題】経済性や利便性に優れる高床式栽培用プランターを提供すること。【解決手段】枠材１０、棚板３０、延長材４０および横架材５０を少なくとも具備する高床式栽培用プランターであり、これらの部材のうち少なくとも何れか１つの部材について、仮設足場の構成部材を流用することで、製造コストの低減と強度の向上を図る。  また、枠材１０の補剛材１３間に斜材２０を設けることで、車椅子の作業者の足が斜材２０と干渉することを防止する。【選択図】図１
2020036559.tif 000002
【特許請求の範囲】
【請求項１】
二本の縦材と該縦材の頭部を繋ぐ水平材とを少なくとも有する枠材であって、複数の枠材を、間隔を空けて配置して支持枠を構成する、枠材と、
前記水平材間に架け渡す、棚板と、
各縦材の頭部に連結可能な、延長材と、
前記延長材間を繋ぐ、横架材と、
を少なくとも具備し、
前記枠材、棚板、および横架材のうち少なくとも何れか１つの部材について、仮設足場の構成部材を流用してあることを特徴とする、
高床式栽培用プランター。
【請求項２】
前記枠材が、仮設足場に用いる鳥居型建枠、調整枠または簡易枠であることを特徴とする、
請求項１に記載の高床式栽培用プランター。
【請求項３】
前記棚板が、仮設足場に用いる布板であることを特徴とする、
請求項１または２に記載の高床式栽培用プランター。
【請求項４】
前記横架材が、仮設足場に用いる手すり材であることを特徴とする、
請求項１乃至３のうち何れか１項に記載の高床式栽培用プランター。
【請求項５】
前記枠材が、前記縦材と水平材との間をさらに繋ぐ補剛材を更に有し、
前記補剛材に、連結ピンを突出したクランプを設け、
前記連結ピンに係止する態様で、前記補剛材間に斜材を配置してあることを特徴とする、
請求項１乃至４のうち何れか１項に記載の高床式栽培用プランター。
【請求項６】
前記斜材が、仮設足場に用いる筋交いであることを特徴とする、
請求項５のうち何れか１項に記載の高床式栽培用プランター。
【請求項７】
前記横架材間に敷設して、前記布板の上方に栽培空間を形成する、シート材をさらに具備することを特徴とする、
請求項１乃至６のうち何れか１項に記載の高床式栽培用プランター。
【請求項８】
前記延長材の前記縦材との連結位置を調節可能としてあることを特徴とする、
請求項１乃至７のうち何れか１項に記載の高床式栽培用プランター。
【請求項９】
少なくとも、仮設足場に用いる鳥居型建枠、調整枠または簡易枠を、高床式栽培用プランターの側面を構成する枠材として流用することを特徴とする、
仮設足場の構成部材の再利用方法。
【発明の詳細な説明】
【技術分野】
【０００１】
本発明は、高床式栽培に用いるプランターおよび仮設足場の構成部材の再利用方法に関する。
【背景技術】
【０００２】
野菜や果物を栽培する高床式栽培に用いるプランターとして、以下の特許文献１に記載のプランターがある。
特許文献１に記載のプランターは、棚板と、棚板の周囲に設けた複数の支柱と、支柱間に架設する横架材と、棚板の上方で、砂や土を投入する凹部を形成する被覆布とからなり、従来の高床式農業ベッドと比較して、部品点数の削減と、運搬や組立の作業効率の向上を実現している。
【先行技術文献】
【特許文献】
【０００３】
【特許文献１】特許第５４５２６９７号公報
【発明の概要】
【発明が解決しようとする課題】
【０００４】
上記した従来のプランターでは、以下に記載する観点のうち、少なくとも何れか１つの観点において、改善の余地が残されていた。
（１）コストの観点
特許文献１に記載の農業プランターは、専用品として新規に特注製作されるものであり、コストの圧縮に限界があった。よって、よりコストの圧縮を実現したい。
（２）汎用性の観点
支柱の頭部から棚板までの長さが決まっているため、砂や土を収容する部分の深さを調整できない。よって、根が浅い葉物などにあわせた浅めの深さから、大根などの根が深い野菜を栽培するために必要な深さへと調整することができない。汎用性を高めるには予め支柱の長いものを用意する必要がある。
（３）強度の観点
高床式栽培で用いる砂の重量はプランター一基につき、数百ｋｇに上るため、プランターを構成するフレームに強度が求められる。
（４）バリアフリーの観点
例えば、車椅子の作業員がプランターで農作業を行う場合、プランターの構造を補強するために設ける水平材や斜材などが、作業員の足に干渉してしまう場合がある。
【０００５】
よって、本発明は、経済性や利便性に優れる高床式栽培用プランターを提供することを目的の１つとする。
【課題を解決するための手段】
【０００６】
上記課題を解決すべくなされた本願の第１発明は、二本の縦材と該縦材の頭部を繋ぐ水平材とを少なくとも有する枠材であって、複数の枠材を、間隔を空けて配置して支持枠を構成する、枠材と、前記水平材間に架け渡す、棚板と、各縦材の頭部に連結可能な、延長材と、前記延長材間を繋ぐ、横架材と、を少なくとも具備し、前記枠材、棚板、および横架材のうち少なくとも何れか１つの部材について、仮設足場の構成部材を流用してあることを特徴とする。
また、本願の第２発明は、前記第１発明において、前記枠材が、仮設足場に用いる鳥居型建枠、調整枠または簡易枠であることを特徴とする。
また、本願の第３発明は、前記第１発明または第２発明において、前記棚板が、仮設足場に用いる布板であることを特徴とする。
また、本願の第４発明は、前記第１発明乃至第３発明のうち何れかの発明において、前記横架材が、仮設足場に用いる手すり材であることを特徴とする。
また、本願の第５発明は、前記第１発明乃至第４発明のうち何れかの発明において、前記枠材が、前記縦材と水平材との間をさらに繋ぐ補剛材を更に有し、前記補剛材に、連結ピンを突出したクランプを設け、前記連結ピンに係止する態様で、前記補剛材間に斜材を配置してあることを特徴とする。
また、本願の第６発明は、前記第５発明において、前記斜材が、仮設足場に用いる筋交いであることを特徴とする。
また、本願の第７発明は、前記第１発明乃至第６発明のうち何れかの発明において、前記横架材間に敷設して、前記布板の上方に栽培空間を形成する、シート材をさらに具備することを特徴とする。
また、本願の第８発明は、前記第１発明乃至第７発明のうち何れかの発明において、前記延長材の前記縦材との連結位置を調節可能としてあることを特徴とする。
また、本願の第９発明は、少なくとも、仮設足場に用いる鳥居型建枠、調整枠または簡易枠を、高床式栽培用プランターの側面を構成する枠材として流用することを特徴とする、仮設足場の構成部材の再利用方法を要旨とする。
【発明の効果】
【０００７】
本発明によれば、以下に記載する効果を奏する。
（１）コストの観点
高床式栽培用プランターを構成する、枠材、棚板、横架材および斜材のうち、少なくとも何れか１つの部材について、仮設足場で用いる使用する構成部材を流用することにより、新規の特注品と比較して安価に製造ができるため、コストの圧縮に繋がる。
（２）汎用性の観点
縦材に対する延長材の連結位置を変更可能に構成することで、栽培する野菜の種類に合わせて栽培空間の深さを調節することができる。
（３）強度の観点
高床式栽培用プランターを構成する、枠材、棚板、横架材および斜材のうち、少なくとも何れか１つの部材について、仮設足場に用いる構成部材を流用することで、栽培空間に投入する土や砂の重量に耐えられる強度を持たせることができる。
また、枠材に、縦材と水平材との間をさらに繋ぐ補剛材を設けることで、さらに強度を持たせることもできる。
（４）バリアフリーの観点
枠材に設けた補剛材間に斜材を配置することで、車椅子の作業員の足などが斜材と干渉することがない。
よって福祉型の農業の実現に寄与する。
【図面の簡単な説明】
【０００８】
【図１】実施例１に係る高床式栽培用プランターの概略斜視図。
【図２】延長材と縦材との連結を示す概略断面図。
【図３】補剛材と斜材との連結を示す概略平面図。
【図４】延長材と横架材との連結を示す概略平面図。
【発明を実施するための形態】
【０００９】
以下、図面を参照しながら、本発明の実施例について説明する。
【実施例１】
【００１０】
＜１＞全体構成
図１に、本実施例に係る高床式栽培用プランター（以下単に「プランター」ともいう。）の全体構成を示す。
本実施例に係るプランターは、枠材１０、斜材２０、棚板３０、延長材４０、横架材５０およびシート材６０を少なくとも具備してなる。
そして、本実施例では、枠材１０、斜材２０、棚板３０および横架材５０について、仮設足場の構築に用いる構成部材を流用している。
その他、プランターには、図示していない高床式栽培で用いる水や肥料を供給装置や潅漑装置などの各種設備を設けることができるが、これらについては公知の装置を用いればよく、詳細な説明を省略する。
以下、各構成要素の詳細について説明する。
【００１１】
＜２＞枠材（支持枠）
枠材１０は、プランターの側面を構成する部材である。
枠材１０は、二本の縦材１１と該縦材１１の頭部を繋ぐ水平材１２とを少なくとも有する。
さらに枠材１０には、前記縦材１１と水平材１２との間を異なる場所で新たに繋いだ補剛材１３を設けることができる。
この枠材１０を、間隔を空けて二基配置することで、支持枠を構成する。
【００１２】
＜２．１＞縦材
縦材１１の上部には、横方向に縦材１１を貫通してなる横孔１１１を設けておく。
この横孔１１１は、後述する延長材４０との連結に使用する。
【００１３】
＜２．２＞建枠の流用
本実施例では、仮設足場に用いる鳥居型建枠を枠材１０として用いている。
なお、前記した鳥居型建枠の高さは、通常１７０ｃｍ〜２００ｃｍ程度であり、そのままの高さでは高床式栽培に適しない。
そこで、本実施例では、鳥居型建枠を構成する支柱部分の下端を高床式栽培に適する長さとなるように切断したうえで、切断部分に高さの微調整が可能なジャッキベース１１２を接続して枠材１０としている。
【００１４】
＜３＞斜材
斜材２０は、支持枠の間に配置して、プランターの倒壊を防止するための部材である。
斜材２０は、長尺部材同士を略中央で交差させた態様で回動自在に連結してある部材である。
【００１５】
＜３．１＞筋交いの流用
本実施例では、仮設足場の支柱間に配置する筋交いを斜材２０として用いている。
仮設足場の支柱間に配置する筋交いは、長尺部材同士を略中央で交差した態様で両端に支柱との連結機構を設けており、間隔を空けて配置する支柱間に取り付ける部材であるため、前記枠材１０として用いる鳥居型建枠と共に利用している筋交いを、本発明の斜材２０としてそのまま流用することができる。
【００１６】
＜３．２＞斜材と枠材との連結態様（図２）
斜材２０と支持枠との連結態様は公知の機構から任意の機構を採用することができる。
図２に、本実施例での斜材２０と枠材１０（補剛材１３）との連結構造を示す。
本実施例では、斜材２０の両端に差込穴２１を設け、支持枠（枠材１０）を構成する各補剛材１３には、外側にねじピン２２１を突出しておいたクランプ２２を上下方向に間隔をあけて２箇所配置しておき、このねじピン２２１へと差込穴２１を差し込んでから連結ナット２２２で締結することで両者を連結している。
【００１７】
＜３．３＞補剛材に斜材を取り付ける利点
前記したように、斜材２０の係止箇所を補剛材１３とすることにより、斜材２０は、プランターの正面または背面から内側に変位した箇所に留まる。
よって、高床式栽培の作業者が、車椅子に載った状態でプランターの正面に近づいて農作業を行う場合であっても、作業者の脚が斜材２０と干渉することはない。
【００１８】
＜４＞棚板
棚板３０は、支持枠の間に配置して、プランターの栽培空間の支持面を構成するための部材である。
棚板３０は、平板形状を呈する長板と、長板の長手方向側の両端に枠材１０を構成する水平材１２と係止可能に構成する。
【００１９】
＜４．１＞布板の流用
本実施例では、棚板３０を、仮設足場で用いる布板を用いている。
仮設足場で用いる布板は、通常支柱間に架け渡す横架材に連結して足場の通路を形成するために使用される長板形状の部材であり、その長手方向の両端に、前記横架材との係止機構を備えているため、本発明の棚板３０としてそのまま流用することができる。
【００２０】
＜４．２＞棚板と枠材との連結態様
棚板３０と支持枠との連結態様は、公知の機構から任意の機構を採用することができる。
本実施例では、棚板３０は上方から係止可能なフック３１を二箇所設けており、枠材１０を構成する水平材１２間に当該フック３１を係止している。
【００２１】
＜５＞延長材
延長材４０は、枠材１０を構成する縦材１１の頭部に連結して、プランターの栽培空間の深さを規定する柱体となる部材である。
【００２２】
＜５．１＞縦材との連結態様（図３）
図３に、本実施例での延長材４０と縦材１１との連結構造を示す。
延長材４０は、縦材１１の内部に差し込み可能な外径を有する管材であり、長手方向に間隔を設けて複数の挿通孔４１（４１ａ，４１ｂ）を設けておく。
この挿通孔４１の何れかを用いて縦材１１に設けてある横孔１１１と、締結手段（調整ボルト４３１，調整ナット４３２）や公知の連結ピンなどを用いての連結位置を調整することで、延長材４０の突出長を変えることができ、引いてはプランターの栽培空間の深さを変えることができる。
【００２３】
＜５．２＞延長材の頭部処理
延長材４０の頭部には、プレート４２を設ける。このプレート４２は上下に貫通する貫通孔４２１と、底面に貫通孔４２１と連通するように固定した固定ナット４２２を有する。
この貫通孔４２１と固定ナット４２２は、後述する横架材５０の取付に使用する。
【００２４】
＜６＞横架材（図４）
横架材５０は、延長材４０の頭部間に架設するための部材である。
図４に、本実施例での延長材４０と横架材５０との連結構造を示す。
横架材５０の両端には上下に貫通する、縦孔を設けてあり、延長材４０の頭部に設けた貫通孔４２１と重ね合わせた状態で、上方から、頭部ボルト５２を螺合し、プレート４２に固定してある固定ナット４２２と締結することで両者を連結する。
【００２５】
＜６．１＞手すり材の流用
本実施例では、横架材５０に、仮設足場の支柱間に配置する手すり材を用いている。
仮設足場の支柱の頭部に設置する手すり材は、長尺部材の両端に支柱の頭部との連結部を設けているため、延長材４０を支柱の頭部のように構成すれば、手すり材を本発明の横架材５０としてそのまま流用することができる。
【００２６】
＜７＞シート材
シート材６０は、プランターにおいて、土や砂などを収容するための栽培空間を形成するための部材である。
シート材６０は、高床式栽培に用いる公知のメッシュシートを用いることができる。
【００２７】
＜８＞製造例
本実施例に係るプランターを製造する際には、前記したとおり、仮設足場の構成部材（鳥居型建枠、調整枠または簡易枠、筋交い、布板、手すり材など）を流用する。
現在、建設現場で使用される足場材は大量に流通されており、それらの余剰品や在庫品を別の用途にして活用することにより、省エネルギー、省資源化などの環境対策に寄与することができる。
また、高床式栽培の実施者から見ても、安価にプランターを購入できるため、高床式栽培の導入に係る初期費用を大きく下げることができる。
【実施例２】
【００２８】
前記した実施例１では、枠材１０、斜材２０、棚板３０、横架材５０の全てについて、仮設足場の構成部材（鳥居型建枠、筋交い、布板、手すり材）を流用しているが、本発明ではこの中から少なくとも何れか一方の構成部材を流用した態様であってもよい。
【符号の説明】
【００２９】
１０    枠材
１１    縦材
１１１  横孔
１１２  ジャッキベース
１２    水平材
１３    補剛材
２０    斜材
２１    差込穴
２２    クランプ
２２１  ねじピン
２２２  連結ナット
３０    棚板
３１    フック
４０    延長材
４１    挿通孔
４２    プレート
４２１  貫通孔
４２２  固定ナット
４３１  ボルト
４３２  ナット
５０    横架材
５１    連結孔
５２    頭部ボルト
６０    シート材
【図１】
2020036559.tif 000003
【図２】
2020036559.tif 000004
【図３】
2020036559.tif 000005
【図４】
2020036559.tif 000006